(57)【要約】【課題】乗場操作盤の製作数を増やして原価低減を図ることを目的とする。【解決手段】二方口エレベータの運転装置において、二方口階であるか否かに関係なく各階２（ｎ）に対応した乗場行先釦４（ｎ）が配列された乗場操作盤３（ｎ）を乗場出入口２（ｎ）Ｅ毎に設け、乗場行先釦４（ｎ）が操作されると乗場行先釦４（ｎ）毎に乗場行先呼びを個別に登録しておき、その乗場行先呼びが設置階ｎよりも上方の階に対応するときは乗場上り呼びＵを、下方の階に対応するときは乗場下り呼びＤを発生させて乗場操作盤３（ｎ）に対応させて登録しておき、上記乗場呼びＵ又はＤにかご１１が応答すると、応答した側の出入口２（ｎ）Ｅを開閉させると共に、応答した乗場呼びＵ又はＤと同方向の乗場行先呼びをかご行先呼びとして登録してかご１１に応答させ、応答した階ｎが二方口階のときは開閉する側を判定して開閉するようにしたものである。【選択図】　　　　図１
2004043086.tif 000002
【特許請求の範囲】
【請求項１】
昇降路の正面側と背面側の双方に乗場出入口が設けられた二方口階を含む各階に、上記正面側及び上記背面側の双方に出入口が設けられたかごを昇降させる二方口エレベータの運転装置において、
上記乗場出入口毎に設けられ、上記二方口階であるか否かに関係なく上記各階に対応した乗場行先釦が配列された乗場操作盤と、
上記乗場行先釦による乗場行先呼びを上記乗場操作盤の上記乗場行先釦毎に個別に登録する乗場行先呼び登録手段と、
上記乗場操作盤の設置階よりも上方の階を行先とする上記乗場行先呼びを乗場上り呼びとし、下方の階を行先とする上記乗場行先呼びを乗場下り呼びとして上記乗場操作盤に対応させて乗場呼びを登録する乗場呼び登録手段と、
上記乗場呼びに上記かごを応答させ、かつ、応答した側の上記出入口を開閉するように指令する乗場呼び応答手段と、
上記乗場呼びに応答した上記かごに、応答した上記乗場呼びと同方向の上記乗場行先呼びをかご行先呼びとして登録するかご行先呼び登録手段と、
上記かごを上記かご行先呼びが登録された階に応答させるかご行先呼び応答手段と、
上記かご行先呼びに応答した階が上記二方口階のときは開閉する側を判定して上記出入口の開閉を指令する開閉側判定手段とを備えた二方口エレベータの運転装置。
【請求項２】
開閉側判定手段は、予め定められた側の出入口を開閉側として判定するものとした請求項１に記載の二方口エレベータの運転装置。
【請求項３】
開閉側判定手段は、一方の出入口を開閉した後他方の出入口を開閉するように判定するものとした請求項１に記載の二方口エレベータの運転装置。
【請求項４】
開く側の出入口を指定する戸開釦をかご内に設け、上記戸開釦が操作されたときは開閉側判定手段による判定結果に関係なく上記戸開釦によって指定された側の出入口を開閉するものとした請求項１に記載の二方口エレベータの運転装置。
【発明の詳細な説明】
【０００１】
【発明の属する技術分野】
この発明は、正面側及び背面側の双方に出入口が設けられた二方口エレベータを、乗場で行先階を指定できる乗場操作盤によって運転する装置に係るものである。
【０００２】
【従来の技術】
乗場で行先階を指定する乗場操作盤によってエレベータを運転する装置に関する従来例として、例えば、特開昭５５−８０６５９号公報には出入口が一方の側にのみ設けられたエレベータに係るものが開示されている。各階に対応する行先釦が配列された乗場操作盤を各乗場に設け、この行先釦の内、設置階よりも上方の階に対応する行先釦が操作されると乗場上り呼びを登録し、下方の階に対応する行先釦が操作されると乗場下り呼びを登録し、かごが応答すると行先釦の示す階のかご呼びを登録するようにしたものである。
【０００３】
また、特開平５−８９７５号公報には、二方向戸貫通型エレベータ、即ち、二方口エレベータの出入口に順位を付し、例えば正面側に続いて背面側に応答するようにしたものが開示されている。
更に、特開平５−３０１６８９号公報には、２方向ドアエレベータ、即ち、二方口エレベータにおいて、正面側かご操作盤と背面側かご操作盤に呼び切替え釦を設け、正面側の呼び切替え釦を操作すると正面側かご操作盤で背面側の呼びを登録できると共に、背面側呼び登録可能階を表示するようにしたものが開示されている。
【０００４】
【発明が解決しようとする課題】
従来の二方口エレベータは上記のとおり構成されており、乗場操作盤によって運転するものは開示されていない。
そこで、特開平５−３０１６８９号公報又は特開平５−３０１６８９号公報に開示された二方口エレベータに、特開昭５５−８０６５９号公報に開示された乗場操作盤を設置したものを想定すると、乗場操作盤には、かご操作盤と同様の行先釦が配置されることになる。即ち、乗場操作盤は出入口に対応させて行先釦が設けられる。このため、乗場操作盤には正面側行先釦と背面側行先釦の双方を配置しなければならない。二方口階と一方の側にのみ出入口が設けられた一方口階とが混在する場合、乗場操作盤は階によって異なるものが必要となる。このため、多種類のものを少数製作することとなり、乗場操作盤が高価になる、という問題があった。
【０００５】
この発明は、上記問題点を解決するためになされたものであり、乗場操作盤の行先釦を、出入口に対応させるのではなく、各階に対応させることにより、同種類の乗場操作盤の製作数を増やして原価低減を図ることを目的とする。
【０００６】
【課題を解決するための手段】
この発明に係る請求項１に記載の二方口エレベータの運転装置は、二方口階であるか否かに関係なく各階に対応した乗場行先釦が配列された乗場操作盤を乗場出入口毎に設け、乗場行先釦が操作されると釦毎に乗場行先呼びを個別に登録しておき、その乗場行先呼びが設置階よりも上方の階を行先とする場合は乗場上り呼びを、下方の階を行先とする場合は乗場下り呼びを発生させて乗場操作盤に対応させて登録しておき、上記乗場呼びにかごが応答すると、応答した側の出入口を開閉させると共に、応答した乗場呼びと同方向の乗場行先呼びをかご行先呼びとして登録してかごに応答させ、応答した階が二方口階のときは開閉する側を判定して開閉を指令するようにしたものである。
【０００７】
この発明に係る請求項２に記載の二方口エレベータの運転装置は、請求項１に記載のエレベータの運転装置において、かご行先呼びに応答した階が二方口階のときの開閉側の判定は、予め定められた側の出入口を開閉側として判定するものである。
【０００８】
この発明に係る請求項３に記載の二方口エレベータの運転装置は、請求項１に記載のエレベータの運転装置において、かご行先呼びに応答した階が二方口階のときの開閉側の判定は、一方の出入口を開閉した後他方の出入口を開閉するように判定するものである。
【０００９】
この発明に係る請求項４に記載の二方口エレベータの運転装置は、請求項１に記載のエレベータの運転装置において、開く側の出入口を指定する戸開釦をかご内に設け、この戸開釦が操作されたときは開閉側判定手段による判定結果に関係なく戸開釦によって指定された側の出入口を開閉するようにしたものである。
【００１０】
【発明の実施の形態】
実施の形態１．
図１から図１２は、この発明の実施の形態１を示す。
図１は、この発明の実施の形態１における二方口エレベータの運転装置の全体構成を示すブロック図で、図中、１は昇降路、２（ｎ）はｎ階、２（ｎ）ＤＦはｎ階正面側の乗場戸、２（ｎ）ＤＲはｎ階背面側の乗場戸である。
ここで、ｎは各階に対応して１からＴまで変化する変数で、ｎ＝１の２１は最下階である１階を示し、ｎ＝Ｔの２Ｔは最上階を示す（以下、同様）。また、末尾の「Ｆ」は正面側を、「Ｒ」は背面側を示し、両者を総称する場合は省略する（以下、同様）。
【００１１】
３（ｎ）Ｆはｎ階正面側の乗場出入口２（ｎ）ＥＦに設けられた乗場操作盤、３（ｎ）Ｒはｎ階背面側の乗場出入口２（ｎ）ＥＲに設けられた乗場操作盤である。４（ｎ）Ｆは乗場操作盤３（ｎ）Ｆに配置された乗場行先釦の総称で、設置階であるｎ階を除いて１階に対応する乗場行先釦４（ｎ）１ＦからＴ階に対応する乗場行先釦４（ｎ）ＴＦで構成されている。同様に、４（ｎ）Ｒは乗場操作盤３（ｎ）Ｒに配置された乗場行先釦で、設置階であるｎ階を除いて１階に対応する乗場行先釦４（ｎ）１ＲからＴ階に対応する乗場行先釦４（ｎ）ＴＲで構成されている。
【００１２】
即ち、乗場操作盤３（ｎ）は、それぞれ乗場出入口２（ｎ）Ｅ毎に設けられるが、乗場行先釦４（ｎ）は、乗場出入口２（ｎ）Ｅが二方口であるか否かに関係なく、各階２（ｎ）に対応して配列される。
従って、乗場行先釦４（ｎ）は二方口階であるか否かに関係しないので、背面側にのみ出入口が設けられた階２（ｎ）であっても、その階２（ｎ）に対応させて正面側の乗場操作盤３（ｎ）Ｆには、乗場行先釦４（ｎ）Ｆが設けられる。背面側の乗場行先釦４（ｎ）Ｒについても同様である。
つまり、各階２（ｎ）の乗場操作盤３（ｎ）は、正面側にのみ出入口が設けられた一方口エレベータの乗場操作盤と同じであって、正面側であるか背面側であるかに関係なく自階２（ｎ）を除く各階２（ｎ）に対応した乗場行先釦４（ｎ）が配置される。従って、同一階２（ｎ）では、正面側の乗場操作盤３（ｎ）Ｆと背面側の乗場操作盤３（ｎ）Ｒは同一物となる。
【００１３】
１１はかご、１２はかご操作盤、１３はかご操作盤１２に配置されたかご釦の総称で、各階２（ｎ）の各乗場出入口２（ｎ）Ｅに対応させて設けられており、各階２（ｎ）の正面側乗場出入口２（ｎ）ＥＦに対応させてかご釦１３１Ｆ〜１３（ｎ）Ｆ〜１３ＴＦが、また、背面側乗場出入口２（ｎ）ＥＲに対応させてかご釦１３１Ｒ〜１３（ｎ）Ｒ〜１３ＴＲがそれぞれ配置されている。
従って、正面側に乗場出入口が設けられていない階２（ｎ）のかご釦１３（ｎ）Ｆは設置されていない。同様に、背面側に乗場出入口が設けられていない階２（ｎ）のかご釦１３（ｎ）Ｒは設置されていない。
１４Ｆはかご操作盤１２に設けられた正面側のかご戸１１ＤＦ及び乗場戸２（ｎ）ＤＦを開放させる戸開釦、１４Ｒは背面側のかご戸１１ＤＲ及び乗場戸２（ｎ）ＤＲを開放させる戸開釦である。１５は開いた戸を閉じる戸閉釦である。
以下、乗場操作盤３（ｎ）及びかご操作盤１２に取り付けられた各呼び釦の操作によって発生する呼びは、釦と同符号を付す。
【００１４】
５１Ｆは乗場行先釦４（ｎ）Ｆによる乗場行先呼びを乗場操作盤３（ｎ）Ｆの乗場行先釦４（ｎ）Ｆ毎に個別に登録する正面側の乗場行先呼び登録手段、５１Ｒは同じく背面側の乗場行先呼び登録手段である。
５２Ｆは正面側の乗場操作盤３（ｎ）Ｆの設置階２（ｎ）よりも上方の乗場行先呼び４（ｎ）Ｆを乗場上り呼びＵＦとして登録し、下方の階２（ｎ）を行先とする乗場行先呼び４（ｎ）Ｆを乗場下り呼びＤＦとして乗場操作盤３（ｎ）Ｆに対応させて登録する正面側の乗場呼び登録手段である。
５２Ｒは同じく背面側の乗場操作盤３（ｎ）Ｒの設置階２（ｎ）よりも上方の階２（ｎ）を行先とする乗場行先呼び４（ｎ）Ｒを乗場上り呼びＵＲとして登録し、下方の階２（ｎ）を行先とする乗場行先呼び４（ｎ）Ｒを乗場下り呼びＤＲとして乗場操作盤３（ｎ）Ｒに対応させて登録する背面側の乗場呼び登録手段である。
以下、乗場上り呼びＵＦ及びＵＲを総称して乗場上り呼びＵとし、乗場下り呼びＤＦ及びＤＲを総称して乗場下り呼びＤとし、更に両者を総称して乗場呼びＵ及びＤとすることもある。
【００１５】
５３は上記各乗場呼びＵＦ、ＤＦ、ＵＲ及びＤＲにかご１１を応答させ、かつ、応答した側の乗場出入口２（ｎ）Ｅを開閉するように指令する乗場呼び応答手段である。
５４は乗場呼びＵＦ、ＤＦ、ＵＲ及びＤＲに応答したかご１１に、応答した乗場呼びＵＦ、ＤＦ、ＵＲ及びＤＲと同じ側で、かつ、同方向の乗場行先呼びをかご行先呼びとして登録するかご行先呼び登録手段である。かご行先呼びは、各階２（ｎ）に対応させたもので、出入口２（ｎ）Ｅには関係しないものである。従って、かご行先呼びは正面側及び背面側の区別がない。
【００１６】
５５はかご行先呼びが登録された階２（ｎ）にかご１１を応答させるかご行先呼び応答手段である。５６はかご行先呼びに応答した階２（ｎ）が二方口階のときは開閉する側を判定して出入口２（ｎ）Ｅの開閉を指令する開閉側判定手段である。
【００１７】
図２は、この発明の実施の形態１における二方口エレベータの運転装置のシステム構成を示すブロック図で、１階から５階の建物に設置されたエレベータを示す。従って、図２は図１において、ｎ＝１〜５とした場合であり、図中、図１と同符号は同一部分を示す。
１階２１は二方口階であり、正面側の乗場出入口２１ＥＦには、乗場操作盤３１Ｆが設けられている。この乗場操作盤３１Ｆには、１階２１を除く２階２２〜５階２５に対応した乗場行先釦４１２Ｆ〜４１５Ｆが配置されている。乗場操作盤３１Ｒも同様に１階２１を除く２階２２〜５階２５に対応した乗場行先釦４１２Ｒ〜４１５Ｒが配置されている。従って、乗場操作盤３１Ｆと３１Ｒは同じ構成となる。
【００１８】
２階２２は一方口階であり、背面側にのみ乗場出入口２２ＥＲが設けられ、２階２２を除く階２１、２３〜２５に対応した乗場行先釦４２Ｒが配置された乗場操作盤３２Ｒが設けられている。
３階２３は二方口階であり、正面側には乗場操作盤３３Ｆが設けられ、３階２３を除く階２１、２２、２４及び２５に対応した乗場行先釦４３Ｆが配置されている。背面側には乗場操作盤３３Ｒが設けられ、同様に、乗場行先釦４３Ｒが配置されている。
４階も二方口階であり、正面側には４階２４を除く階２１、２２、２３及び２５に対応した乗場行先釦４４Ｆが配置され、背面側には乗場行先釦４４Ｒが配置されている。
【００１９】
５階２５は一方口階であり、正面側にのみ乗場出入口２５ＥＦが設けられ、５階２５を除く階２１〜２４に対応した乗場行先釦４５Ｆが配置された乗場操作盤３５Ｆが設けられている。
図２より明かなとおり、乗場操作盤３（ｎ）は、正面側であるか背面側であるかに関係なく自階を除く各階２（ｎ）に対応した乗場行先釦４（ｎ）が配置される。つまり、特開昭５５−８０６５９号公報で開示された一方口エレベータの乗場操作盤と同じである。
【００２０】
かご操作盤１２には、各出入口に対応させてかご釦１３が設けられており、１階２１、３階２３及び４階２４に対しては、正面側に対応させてかご釦１３１Ｆ、１３３Ｆ及び１３４Ｆが、また、背面側に対応させてかご釦１３１Ｒ、１３３Ｒ及び１３４Ｒが設けられている。２階２２は背面側に対応させてかご釦１３２Ｒが設けられている。５階２５は正面側に対応させてかご釦１３５Ｆが設けられている。
【００２１】
８はかご１１を昇降駆動する巻上機、９は巻上機８を制御する制御盤、１０は巻上機８に巻き掛けられてかご１１を吊持する主索、１６は制御盤９からの指示によりかご戸１１ＤＦ及び１１ＤＲを開閉制御する戸閉装置である。
６１はＣＰＵ、６２はプログラムが書き込まれたＲＯＭ、６３は一時的なデータが書き込まれるＲＡＭ、６４は乗場行先呼びメモリで、詳細を図３に示す。６５は乗場呼びメモリで、詳細を図４に示す。６６はかご行先呼びメモリで、詳細を図５に示す。６７はかご呼びメモリで、詳細を図６に示す。６８は外部からの信号が入力される入力回路、６９は制御盤９への出力回路である。
【００２２】
図３は、乗場行先呼びメモリ６４の詳細を示し、正面側乗場行先呼びメモリ６４Ｆと背面側乗場行先呼びメモリ６４Ｒからなり、図中、図１及び図２と同符号は同一部分を示す。
正面側乗場行先呼びメモリ６４Ｆは正面側の乗場行先釦４１Ｆ〜４５Ｆによる乗場行先呼びを登録するメモリで、５行５列のメモリからなり、各階２（ｎ）に設置された乗場行先釦４１Ｆ〜４５Ｆのうち、１階２１を行先階とする各階２（ｎ）の乗場行先釦４１１Ｆ〜４５１Ｆを第１行とし、以下順に、５階２５を行先階とする各階２（ｎ）の乗場行先釦４１５Ｆ〜４５５Ｆを第５行とする。
この配列により、第１列は１階２１の乗場行先釦４１１Ｆ〜４１５Ｆとなり、以下順に、第５列は５階２５の乗場行先釦４５１Ｆ〜４５５Ｆとなる。
なお、対応する乗場行先釦４１Ｆ〜４５Ｆのないメモリ要素（ｉ，ｊ）は当初に設定された「０」が保持される。従って、設置階に対応するメモリ要素（ｉ，ｉ）及び２階２２に対応するメモリ要素（ｉ，２）は常時「０」である。
【００２３】
符号ＤＦで示した領域は、メモリ要素（ｉ，ｊ）において、ｉ＜ｊの部分であり、「１」にセットされると乗場下り呼びＤＦが発生する。
即ち、３階乗場行先釦４３１Ｆ、４３２Ｆにより３階下り呼びＤ３Ｆが、４階乗場行先釦４４１Ｆ、４４２Ｆ、４４３Ｆにより４階下り呼びＤ４Ｆが、５階乗場行先釦４５１Ｆ、４５２Ｆ、４５３Ｆ、４５４Ｆにより５階下り呼びＤ５Ｆが、それぞれ発生する。
【００２４】
同様に、符号ＵＦで示した領域は、メモリ要素（ｉ，ｊ）において、ｉ＞ｊの部分であり、「１」にセットされると乗場上り呼びＵＦが発生する。
即ち、１階乗場行先釦４１２Ｆ、４１３Ｆ、４１４Ｆ、４１５Ｆにより１階上り呼びＵ１Ｆが、３階乗場行先釦４３４Ｆ、４３５Ｆにより３階上り呼びＵ３Ｆが、４階乗場行先釦４４５Ｆにより４階上り呼びＵ４Ｆが、それぞれ発生する。
【００２５】
背面側乗場行先呼びメモリ６４Ｒも同様であって、背面側の乗場行先釦４１Ｒ〜４５Ｒによる乗場行先呼びを登録する５行５列のメモリからなり、正面側乗場行先呼びメモリ６４Ｆと同様に配列される。
なお、設置階を行先とする乗場行先釦４１Ｒ〜４５Ｒが設けられない。従って、設置階に対応するメモリ要素（ｉ，ｉ）は常時「０」である。
また、５階２５は乗場操作盤が設けられない。従って対応するメモリ要素（ｉ，５）は常時「０」である。
【００２６】
同様に、符号ＤＲで示した領域は、メモリ要素（ｉ，ｊ）において、ｉ＜ｊの部分であり、「１」にセットされると、２階乗場下り呼びＤ２Ｒ〜５階乗場下り呼びＤ５Ｒからなる乗場下り呼びＤＲが発生する。
また、符号ＵＲで示した領域は、メモリ要素（ｉ，ｊ）において、ｉ＞ｊの部分であり、「１」にセットされると、１階乗場上り呼びＵ１Ｒ〜４階乗場上り呼びＵ４Ｒからなる乗場上り呼びＵＲが発生する。
なお、５階２５には、乗場操作盤は設けられないので、乗場呼びが発生することはない。
【００２７】
図４は、乗場呼びメモリ６５の詳細を示し、正面側乗場呼びメモリ６５Ｆと背面側乗場呼びメモリ６５Ｒからなり、図中、図１から図３と同符号は同一部分を示す。
正面側乗場呼びメモリ６５Ｆは正面側の乗場上り呼びＵＦと乗場下り呼びＤＦを登録するメモリで、図３の乗場行先呼びメモリ６４に登録された呼びに基いて発生した１階乗場上り呼びＵ１Ｆ〜４階乗場上り呼びＵ４Ｆと、２階乗場下り呼びＤ２Ｆ〜５階乗場下り呼びＤ５Ｆをそれぞれ登録する。なお、２階２２の正面側には乗場操作盤は設置されないので、２階乗場上り呼びＵ２Ｆ及び２階乗場下り呼びＤ２Ｆは「０」に保持され、呼びが登録されることはない。
【００２８】
背面側乗場呼びメモリ６５Ｒは、背面側の乗場上り呼びＵＲと乗場下り呼びＤＲを登録するメモリで、同様に、図３の乗場行先呼びメモリ６４に登録された呼びに基いて発生した１階乗場上り呼びＵ１Ｒ〜４階乗場上り呼びＵ４Ｒと、２階乗場下り呼びＤ２Ｒ〜５階乗場下り呼びＤ５Ｒをそれぞれ登録する。なお、５階２５の背面側には乗場操作盤は設置されないので、５階乗場下り呼びＤ５Ｆは「０」に保持され、呼びが登録されることはない。
【００２９】
図５は、かご行先呼びメモリ６６の詳細を示す。かご行先呼びメモリ６６は、かご１１が応答した乗場呼びＵＦ、ＤＦ、ＵＲ及びＤＲと同方向の各階２（ｎ）の乗場行先呼び４１１Ｆ〜４５５Ｆ及び４１１Ｒ〜４５５Ｒを選択してかご行先呼びＣ（ｎ）として登録するメモリである。従って、正面側及び背面側の区別はなく、１階かご行先呼びＣ１〜５階かご行先呼びＣ５として登録される。
【００３０】
図６は、かご呼びメモリ６７の詳細を示す。かご呼びメモリ６７は、かご操作盤１２のかご釦１３の操作によってかご呼びＣＣ（ｎ）が登録される。即ち、かご釦１３１Ｆ〜１３５Ｆが操作されると１階〜５階正面側かご呼びＣＣ１Ｆ〜ＣＣ５Ｆが登録される。同様に、かご釦１３１Ｒ〜１３４Ｒが操作されると１階〜４階背面側かご呼びＣＣ１Ｒ〜ＣＣ４Ｒが登録される。
なお、２階正面側及び５階背面側のかご釦１３は設置されていないので、対応するメモリは、「０」に保持される。
【００３１】
図７は乗場行先呼び４（ｎ）Ｆ及び４（ｎ）Ｒがかご行先呼びＣ（ｎ）として登録され、このかご行先呼びＣ（ｎ）にかご１１が応答する手順を示す流れ図である。３階２３に設置された乗場操作盤３３Ｆ及び３３Ｒについて示す。
３階正面側の乗場操作盤３３Ｆにおいて、乗場行先釦４３２、４３４、４３５が操作されたとする。手順Ｓ０１で乗場行先呼び４３４Ｆ及び４３５Ｆが乗場行先呼びメモリ６４に登録される。設置階である３階よりも上方の呼びであるから、手順Ｓ０２で乗場上り呼びＵ３Ｆが発生して乗場呼び登録メモリ６５へ登録される。手順Ｓ０３でかご１１が乗場上り呼びＵ３Ｆに応答すると、手順Ｓ０４で乗場行先呼び４３４Ｆ及び４３５Ｆをかご行先呼びＣ４及びＣ５としてかご行先呼びメモリ６６へ登録する。
即ち、かご１１が応答した乗場呼びＵ又はＤと同方向の乗場行先呼び４（ｎ）の内容（０又は１）と、かご行先呼びＣ（ｎ）の内容の論理和がかご行先呼びＣ（ｎ）の新たな内容となる。
従って、図７の場合は、乗場行先呼び４３４Ｆの内容は「１」であるから、かご行先呼びＣ４は「１」となって呼びが登録される。乗場行先呼び４３４Ｆの内容が「０」の場合は、かご行先呼びＣ４は現に設定された値のままとなる。乗場行先呼び４３５Ｆとかご行先呼びＣ５の場合も同様である。
【００３２】
図８は乗場行先呼びメモリ６４に登録された乗場行先呼び４１１Ｆ〜４５５Ｆ及び４１１Ｒ及び４５５Ｆに基いて、乗場呼びＵ１Ｆ〜Ｕ４Ｆ、Ｄ２Ｆ〜Ｄ５Ｆ及びＵ１Ｒ〜Ｕ４Ｒ、Ｄ２Ｒ〜Ｄ５Ｒを乗場呼びメモリ６５へ記録する手順を示す。
手順Ｓ１１で、乗場行先呼びメモリ６４に乗場行先呼び４（ｎ）Ｆ又は４（ｎ）Ｒが登録された場合は、手順Ｓ１２で乗場操作盤３（ｎ）の設置階２（ｎ）階と比較をし、上方の場合は手順Ｓ１３で、乗場操作盤３（ｎ）の設置された階２（ｎ）の正面側又は背面側に対応させて、乗場上り呼びＵＦ又はＵＲを、図４に示す乗場呼びメモリ６５へ記録する。
下方の場合は手順Ｓ１４で、乗場操作盤３（ｎ）の設置された階２（ｎ）の正面側又は背面側に対応させて、乗場下り呼びＤＦ又はＤＲを、図４に示す乗場呼びメモリ６５へ記録する。
【００３３】
図９は乗場行先呼びメモリ６４に記録された乗場行先呼び４（ｎ）Ｆ及び４（ｎ）Ｒを、かご行先呼びＣ（ｎ）としてかご行先呼びメモリ６６へ記録する手順を示す。
手順Ｓ２１で、かご１１が乗場呼びメモリ６５に記録された乗場上り呼びＵＦ又はＵＲ、乗場下り呼びＤＦ又はＤＲに応答すると、手順Ｓ２２で、応答した側の出入口２（ｎ）ＥＦ又は２（ｎ）ＥＲを開閉する。
【００３４】
かご１１が乗場上り呼びＵＦ又はＵＲに応答した場合は、手順Ｓ２３で、応答した階の乗場操作盤３（ｎ）Ｆ又は３（ｎ）Ｒに登録された乗場行先呼び４（ｎ）Ｆ又は４（ｎ）Ｒであって上方の階２（ｎ）に対応するものを、かご行先呼びＣ（ｎ）としてかご行先呼びメモリ６６へ記録する。手順Ｓ２４で、応答された乗場上り呼びＵＦ又はＵＲは打ち消され、手順Ｓ２５でかご行先呼びＣ（ｎ）として登録された乗場行先呼び４（ｎ）Ｆ又は４（ｎ）Ｒも打ち消されて処理を終了する。
【００３５】
手順Ｓ２１及びＳ２２で、かご１１が乗場下り呼びＤＦ又はＤＲに応答した場合は、手順Ｓ２６で、応答した階の乗場操作盤３（ｎ）Ｆ又は３（ｎ）Ｒに登録された乗場行先呼び４（ｎ）Ｆ又は４（ｎ）Ｒであって下方の階に対応するものを、かご行先呼びＣ（ｎ）としてかご行先呼びメモリ６６へ記録する。手順Ｓ２７で、応答された乗場下り呼びＤＦ又はＤＲは打ち消され、手順Ｓ２８でかご行先呼びＣ（ｎ）として登録された乗場行先呼び４（ｎ）Ｆ又は４（ｎ）Ｒも打ち消されて処理を終了する。
【００３６】
図１０は、呼びに応答してかご１１を昇降させるエレベータの動作を示す流れ図である。
手順Ｓ３１で、かご１１は乗合方式で運転されて、かご呼びメモリ６７に登録されたかご呼びＣＣ（ｎ）、乗場呼びメモリ６５に登録された乗場呼びＵ又はＤ、かご行先呼びメモリ６６に登録されたかご行先呼びＣ（ｎ）に応答する。
手順Ｓ３２で、かご呼びＣＣ（ｎ）に応答する場合は、手順Ｓ３３でかご呼びＣＣ（ｎ）で指定された側の乗場出入口２（ｎ）ＥＦ又は２（ｎ）ＥＲを開閉させ、手順Ｓ３４で応答したかご呼びＣＣ（ｎ）を打ち消した後、手順Ｓ３５へ移る。かご呼びＣＣ（ｎ）に応答しない場合は手順Ｓ３２から手順Ｓ３５へ移る。
【００３７】
手順Ｓ３５で、乗場呼びＵ及びＤに応答する場合は、図９で述べた処理をした後手順Ｓ３７へ移る。乗場呼びＵ及びＤに応答しない場合は、手順Ｓ３５から手順Ｓ３７へ移る。
【００３８】
手順３７で、かご行先呼びＣ（ｎ）に応答する場合は、その応答階が一方口階の場合は、手順Ｓ３８から手順Ｓ３９へ移って乗場出入口２（ｎ）Ｅを開閉して手順Ｓ４３へ移る。
応答階が二方向口階の場合は、手順Ｓ３８から手順Ｓ４０へ移る。手順Ｓ４０で、かご操作盤１２の戸開釦１４Ｆ又は１４Ｒによって開閉側が指定された場合は、手順Ｓ４１で指定された側の乗場出入口２（ｎ）Ｅを開閉し、手順Ｓ４３へ移る。
開閉側が指定されていない場合は、手順Ｓ４０から手順Ｓ４２へ移り、開閉側を判定して乗場出入口２（ｎ）Ｅを開閉し、手順Ｓ４３へ移る。開閉側判定の具体例は実施例として図１１及び図１２に示す。
手順Ｓ４３では応答したかご行先呼びＣ（ｎ）を打ち消して手順Ｓ３１へ戻り、処理を繰り返す。
【００３９】
上記実施の形態１によれば、乗場操作盤３（ｎ）は、それぞれ乗場出入口２（ｎ）Ｅ毎に設けられるが、その乗場操作盤３（ｎ）に取り付けられた乗場行先釦４（ｎ）は、乗場出入口２（ｎ）Ｅに関係なく、各階２（ｎ）に対応して配列されるので、各階２（ｎ）の乗場操作盤３（ｎ）の乗場行先釦４（ｎ）は、付される階名は異なるものの、同数が配列されることになる。
このため、各階２（ｎ）の乗場操作盤３（ｎ）は同種類となり、製作数を増やして原価低減を図ることができる。
特に、乗場操作盤３（ｎ）は二方口エレベータに用いられるものであるが、特開昭５５−８０６５９号公報で開示されているように、一方口エレベータの乗場操作盤と同じである。このため、一方口エレベータの乗場操作盤を流用することができ、この流用によっても原価低減を図ることができる。
また、かご操作盤１２に正面側戸開釦１４Ｆ及び背面側戸開釦１４Ｒを設けたので、手順Ｓ４２の判定と異なる側の出入口を開閉することもできる。
【００４０】
【実施例】
図１０の手順Ｓ４２における開閉判定を実施例として述べる。
実施例１．
図１１は開閉側判定の実施例１を示し、手順Ｓ４２ａで、予め定められた側の乗場出入口２（ｎ）ＥＦ又は（ｎ）ＥＲを開閉する。
例えば、正面側が主の出入口で、背面側が従の出入口の場合は、正面側が開閉側として判定される。この場合、背面側を開閉するには、図１０において、手順Ｓ４０及び手順Ｓ４１による。
上記実施例１によれば、主の出入口側が優先して開閉されるので、乗場操作盤３（ｎ）で開閉側を指定できなくても、支障はなく効率的に二方口エレベータを運転することができる。
【００４１】
実施例２．
図１２は開閉側判定の実施例２を示し、手順Ｓ４２ｂ１で、予め定められた一方の側の乗場出入口、例えば正面側の乗場出入口２（ｎ）ＥＦを開閉側として判定し、この判定に基いて開閉した後、手順Ｓ４２ｂ２で、予め定められた他方の側の乗場出入口、例えば背面側の乗場出入口２（ｎ）ＥＲを開閉側として判定して開閉する。
上記実施例２によれば、正面側と背面側が順番に開閉されるようにしたので、乗場操作盤３（ｎ）で開閉側を指定できなくても、支障はなく二方口エレベータを運転することができる。
【００４２】
【発明の効果】
この発明は上記のとおり構成されているので、以下の効果を奏する。
この発明に係る請求項１に記載の二方口エレベータの運転装置は、二方口階であるか否かに関係なく各階に対応した乗場行先釦が配列された乗場操作盤を乗場出入口毎に設け、乗場行先釦が操作されると釦毎に乗場行先呼びを個別に登録しておき、その乗場行先呼びが設置階よりも上方の階を行先とする場合は乗場上り呼びを、下方の階を行先とする場合は乗場下り呼びを発生させて乗場操作盤毎に登録しておき、上記乗場呼びにかごが応答すると、応答した側の出入口を開閉させると共に、応答した乗場呼びと同方向の乗場行先呼びをかご行先呼びとして登録してかごに応答させ、応答した階が二方口階のときは開閉する側を判定して開閉するようにしたものである。
このため、各階の乗場操作盤は同数の釦が配列された同種類となり、製作数を増やして原価低減を図ることができる、という効果を奏する。
特に、乗場操作盤は二方口エレベータに用いられるものであるが、一方口エレベータの乗場操作盤と同じものであるから、一方口エレベータの乗場操作盤を流用することができ、この流用によっても原価低減を図ることができる、という効果を奏する。
【００４３】
この発明に係る請求項２に記載の二方口エレベータの運転装置は、請求項１に記載のエレベータの運転装置において、かご行先呼びに応答した階が二方口階のときの開閉側の判定は、予め定められた側の出入口を開閉側として判定するものである。
このため、主の出入口側を優先して開閉させることができので、乗場操作盤で開閉側を指定できなくても、支障はなく効率的に二方口エレベータを運転することができる、という効果を奏する。
【００４４】
この発明に係る請求項３に記載の二方口エレベータの運転装置は、請求項１に記載のエレベータの運転装置において、かご行先呼びに応答した階が二方口階のときの開閉側の判定は、一方の出入口を開閉した後他方の出入口を開閉するように判定するものである。
このため、乗場操作盤で開閉側を指定できなくても、支障はなく二方口エレベータを運転することができる、という効果を奏する。
【００４５】
この発明に係る請求項４に記載の二方口エレベータの運転装置は、請求項１に記載のエレベータの運転装置において、開く側の出入口を指定する戸開釦をかご内に設け、この戸開釦が操作されたときは開閉側判定手段による判定結果に関係なく戸開釦によって指定された側の出入口を開閉するようにしたものである。
このため、判定結果を変更して利用者の希望する側の出入口を開閉することができ、効率的な運転が可能となる、という効果を奏する。
【図面の簡単な説明】
【図１】この発明の実施の形態１における二方口エレベータの運転装置の全体構成を示すブロック図。
【図２】この発明の実施の形態１における二方口エレベータの運転装置のシステム構成を示すブロック図。
【図３】乗場行先呼びメモリ６４の内容を示す概念図。
【図４】乗場呼びメモリ６５の内容を示す概念図。
【図５】かご行先呼びメモリ６６の内容を示す概念図。
【図６】かご呼びメモリ６７の内容を示す概念図。
【図７】かご行先呼びの登録と、このかご行先呼びにかご１１が応答する手順を示す流れ図。
【図８】乗場呼びを乗場呼びメモリ６５へ記録する手順を示す流れ図。
【図９】かご行先呼びをかご行先呼びメモリ６６へ記録する手順を示す流れ図。
【図１０】エレベータの動作を示す流れ図。
【図１１】この発明の実施例１における開閉側判定を示す流れ図。
【図１２】この発明の実施例２における開閉側判定を示す流れ図。
【符号の説明】
１　昇降路、　２（ｎ）　階、　２（ｎ）ＤＦ　正面側乗場戸、　２（ｎ）ＤＲ　背面側乗場戸、　２（ｎ）ＥＦ　正面側乗場出入口、　２（ｎ）ＥＲ　背面側乗場出入口、　３（ｎ）Ｆ　正面側乗場操作盤、　３（ｎ）Ｒ　背面側乗場操作盤、　４（ｎ）Ｆ　正面側乗場行先釦、　４（ｎ）Ｒ　背面側乗場行先釦、　８　巻上機、　９　制御盤、　１０　主索、　１１　かご、　１１ＤＦ　正面側かご戸、　１１ＤＲ　背面側かご戸、　１２　かご操作盤、　１３　かご釦、　１４Ｆ　正面側戸開釦、　１４Ｒ　背面側戸開釦、　１５　戸閉釦、　２１Ｄ　１階乗場戸、　２１Ｅ　１階乗場出入口、　５１　乗場行先呼び登録手段、　５２　乗場呼び登録手段、　５３　乗場呼び応答手段、　５４　かご行先呼び登録手段、　５５　かご行先呼び応答手段、　５６　開閉側判定手段、　６１　ＣＰＵ、　６２　ＲＯＭ、　６３　ＲＡＭ、　６４　乗場行先呼びメモリ、　６５　乗場呼びメモリ、　６６　かご行先呼びメモリ、　６７　かご呼びメモリ、　６８　入力回路、　６９　出力回路。
【図１】
2004043086.tif 000003
【図２】
2004043086.tif 000004
【図３】
2004043086.tif 000005
【図４】
2004043086.tif 000006
【図５】
2004043086.tif 000007
【図６】
2004043086.tif 000008
【図７】
2004043086.tif 000009
【図８】
2004043086.tif 000010
【図９】
2004043086.tif 000011
【図１０】
2004043086.tif 000012
【図１１】
2004043086.tif 000013
【図１２】
2004043086.tif 000014